(57)【要約】【課題】原稿の重送検知にかかる時間やコストを抑制し、原稿の重送を適切に判定する。【解決手段】  原稿読取装置５は、スキャン動作において原稿を読み取って画像データを取得する画像読取部６と、スキャン動作において画像読取部６へ原稿を搬送する原稿搬送部７と、を備える。原稿搬送部７は、画像読取部６へ搬送される原稿の重なりを検知する重なり検知部４１を備える。原稿読取装置５は、重なり検知部４１が原稿の重なりを検知したとき、この原稿について画像読取部６が読み取った画像データにおいて、原稿の重なりに対応する重なり画像がカラー画像でない場合には、原稿の重なりを重送と判定する一方、重なり画像がカラー画像である場合には、原稿の重なりを重送でないと判定する。【選択図】図２
2020108094.tif 000002
【特許請求の範囲】
【請求項１】
スキャン動作において原稿を読み取って画像データを取得する画像読取部と、
前記スキャン動作において前記画像読取部へ前記原稿を搬送する原稿搬送部と、を備え、
前記原稿搬送部は、前記画像読取部へ搬送される前記原稿の重なりを検知する重なり検知部を備え、
前記重なり検知部が前記原稿の重なりを検知したとき、該原稿について前記画像読取部が読み取った前記画像データにおいて、前記原稿の重なりに対応する重なり画像がカラー画像でない場合には、前記原稿の重なりを重送と判定する一方、前記重なり画像がカラー画像である場合には、前記原稿の重なりを重送でないと判定することを特徴とする原稿読取装置。
【請求項２】
前記原稿の重送判定を除外する除外カラーを予め登録し、
前記重なり画像がカラー画像である場合において、該カラー画像が前記除外カラーでない場合には、前記原稿の重なりを重送と判定する一方、該カラー画像が前記除外カラーである場合には、前記原稿の重なりを重送でないと判定することを特徴とする請求項１に記載の原稿読取装置。
【請求項３】
前記原稿の重なりを重送と判定したとき、当該原稿に後続する原稿の前記スキャン動作を停止する一方、前記原稿の重なりを重送でないと判定したとき、当該原稿に後続する原稿の前記スキャン動作を継続することを特徴とする請求項１又は２に記載の原稿読取装置。
【請求項４】
画像を形成する画像形成部と、
請求項１〜３の何れか１項に記載の原稿読取装置と、
を備えることを特徴とする画像形成装置。
【発明の詳細な説明】
【技術分野】
【０００１】
本発明は、原稿搬送及び画像読取等のスキャン動作を行う原稿読取装置及びこの原稿読取装置を備える画像形成装置に関する。
【背景技術】
【０００２】
複合機等の画像形成装置は、原稿搬送及び画像読取等のスキャン動作を行う原稿読取装置を備える。原稿読取装置は、原稿から画像を読み取るスキャナー等の画像読取部と、原稿を一枚ずつ画像読取部へ搬送するための原稿搬送部とを備える。
【０００３】
例えば、特許文献１の原稿送り装置（原稿搬送部）は、原稿が重なって搬送された際に原稿の重送を検知し重送検知信号を発する重送検知センサーと、重送検知センサーを原稿の搬送方向と直交する方向に往復移動させる駆動部と、駆動部を制御すると共に重送検知センサーによって検知された重送検知信号に基づいて原稿の重送を判断する制御部とを備える。制御部は、原稿の搬送方向と直交する幅方向において所定値以上の幅で重送検知信号を検知した際に原稿の重送が生じたと判断する。
【先行技術文献】
【特許文献】
【０００４】
【特許文献１】特開２００７−２８１７７７号公報
【発明の概要】
【発明が解決しようとする課題】
【０００５】
従来、原稿読取装置では、原稿が重送されると、重なった状態で原稿の画像が読み取られ、画像が欠落することもあるので、原稿の重なりを重送として検知した場合に、原稿搬送及び画像読取等のスキャン動作を停止する。このとき、ユーザーは、例えば、重送を検知された原稿を確認して、その原稿から読み取られた画像を採用しつつ、後続の原稿のスキャン動作を継続するか、あるいは、重送を検知された原稿のスキャン動作を再度行うかを判断することになる。
【０００６】
ところで、付箋を貼り付けたままで原稿のスキャン動作を行うことがあるが、原稿読取装置は、原稿に貼られた付箋を重送として検知してしまう。そのため、付箋を貼った原稿が搬送される度に、スキャン動作が停止して、ユーザーが原稿を確認する必要がある。したがって、スキャン動作に時間がかかり、また、ユーザーの手間がかかってしまう。
【０００７】
また、上記の原稿搬送部では、原稿の搬送方向と直交する幅方向において所定値以上の幅の重送を検知した際に原稿の重送が生じたと判断しているが、この場合、重送検知センサーを幅方向に移動させるので、重送検知に時間がかかり、また、重送検知センサーを移動させるための駆動部を設けるので、コストが上昇してしまう。
【０００８】
そこで、本発明は上記事情を考慮し、原稿の重送検知にかかる時間やコストを抑制し、原稿の重送を適切に判定することを目的とするものである。
【課題を解決するための手段】
【０００９】
上記した目的を達成するため、本発明の原稿読取装置は、スキャン動作において原稿を読み取って画像データを取得する画像読取部と、前記スキャン動作において前記画像読取部へ前記原稿を搬送する原稿搬送部と、を備え、前記原稿搬送部は、前記画像読取部へ搬送される前記原稿の重なりを検知する重なり検知部を備え、前記重なり検知部が前記原稿の重なりを検知したとき、該原稿について前記画像読取部が読み取った前記画像データにおいて、前記原稿の重なりに対応する重なり画像がカラー画像でない場合には、前記原稿の重なりを重送と判定する一方、前記重なり画像がカラー画像である場合には、前記原稿の重なりを重送でないと判定することを特徴とする。
【００１０】
上記の原稿読取装置は、前記原稿の重送判定を除外する付箋カラーを予め登録し、前記重なり画像がカラー画像である場合において、該カラー画像が前記除外カラーでない場合には、前記原稿の重なりを重送と判定する一方、該カラー画像が前記除外カラーである場合には、前記原稿の重なりを重送でないと判定する。
【００１１】
また、上記の原稿読取装置は、前記原稿の重なりを重送と判定したとき、当該原稿に後続する原稿の前記スキャン動作を停止する一方、前記原稿の重なりを重送でないと判定したとき、当該原稿に後続する原稿の前記スキャン動作を継続する。
【００１２】
また、本発明の画像形成装置は、画像を形成する画像形成部と、上記の原稿読取装置と、を備えることを特徴とする。
【発明の効果】
【００１３】
本発明によれば、重送検知にかかる時間やコストを抑制し、原稿の重送を適切に判定することができる。
【図面の簡単な説明】
【００１４】
【図１】本発明の実施形態に係る複合機を示す断面図である。
【図２】本発明の実施形態に係る複合機の原稿読取装置を示す断面図である。
【図３】本発明の実施形態に係る複合機の電気的な構成を示すブロック図である。
【図４】本発明の実施形態に係る複合機において、スキャン動作を示すフローチャートである。
【図５】本発明の実施形態に係る複合機においてスキャン動作に用いられる原稿の例を示す概要図である。
【図６】本発明の実施形態に係る複合機においてスキャン動作に用いられる原稿の他の例を示す概要図である。
【図７】本発明の実施形態に係る複合機においてスキャン動作に用いられる原稿の更なる例を示す概要図である。
【発明を実施するための形態】
【００１５】
先ず、本発明の実施形態に係る複合機１（画像形成装置）の全体の構成について図１を参照しながら説明する。以下、説明の便宜上、図１における紙面手前側を複合機１の前側とする。各図に適宜付される矢印Ｌ、Ｒ、Ｕ、Ｌｏは、それぞれ複合機１の左側、右側、上側、下側を示す。
【００１６】
複合機１は、略箱型状の装置本体２を備える。装置本体２内の下部には画像形成に用いる用紙を収納する複数の給紙カセット３が設けられる。装置本体２の上部の胴内空間には、排紙トレイ４が設けられる。
【００１７】
装置本体２の上部には、原稿搬送及び画像読取等のスキャン動作を行う原稿読取装置５が設けられ、原稿読取装置５は、図１及び図２に示すように、原稿から画像を読み取る画像読取部６と、画像読取部６へ原稿を搬送する原稿搬送部７とを備える。画像読取部６及び原稿搬送部７において、主に左右方向が原稿の搬送方向であり、以下の説明では、この搬送方向を原稿の長さ方向とし、搬送方向に直交する方向を原稿の幅方向とする。画像読取部６及び原稿搬送部７の詳細は後述する。
【００１８】
更に、装置本体２の上部には、操作表示部８が正面側に取り付けられる。操作表示部８は、例えば、テンキー、スタートキー、システムメニューキー、送信キー、コピーキー等の操作キーと、タッチパネル等の表示器とを備え、ユーザーからの操作入力を受け付ける。
【００１９】
装置本体２の中央部には、像担持体としての中間転写ベルト１０が複数のローラー間に架設される。中間転写ベルト１０の下側には、画像を形成する４つの画像形成部１１がトナーの色（例えば、イエロー、マゼンタ、シアン、ブラックの４色）毎に設けられる。４つの画像形成部１１の下方には、露光部１２が設けられる。中間転写ベルト１０の右端には、二次転写部１３が設けられ、中間転写ベルト１０の左端には、中間転写ベルト１０を清掃するクリーニングユニット１４が設けられる。二次転写部１３は、中間転写ベルト１０の右端側の一部と二次転写ローラーとで構成される。
【００２０】
各画像形成部１１には、像担持体としての感光体ドラムが回転可能に設けられ、感光体ドラムの周囲には、帯電部と、現像部と、一次転写部と、除電部と、クリーニング部とが、電子写真のプロセス順に配置される。現像部の上方には、各画像形成部１１と対応するトナーコンテナが、トナーの色（例えば、イエロー、マゼンタ、シアン、ブラックの４色）毎に設けられ、各トナーコンテナは、各色のトナーを収容する。
【００２１】
装置本体２の右部には、画像形成に用いる用紙の搬送経路１５が設けられる。搬送経路１５の上流部には、複数の給紙部１６が複数の給紙カセット３毎に設けられる。搬送経路１５の中流部には、上記の二次転写部１３が設けられる。搬送経路１５の下流部には、定着部１７が設けられ、搬送経路１５の下流端には排紙部１８が設けられる。
【００２２】
次に、複合機１の画像形成動作について説明する。複合機１では、画像読取部６や外部のコンピューター等から画像データが入力される。各画像形成部１１では、感光体ドラムが、帯電部によって帯電された後、露光部１２によって画像データに基づいて露光されることで、感光体ドラム上に静電潜像が形成される。感光体ドラム上の静電潜像は、現像部によって各色のトナー像に現像される。感光体ドラム上のトナー像は、一次転写部によって中間転写ベルト１０の表面に一次転写される。以上の動作を４つの画像形成部１１が順次行うことによって、中間転写ベルト１０上にフルカラーのトナー像（カラートナー像）が形成される。カラートナー像は、中間転写ベルト１０の回転によって、所定の二次転写タイミングで二次転写部１３へ供給される。
【００２３】
他方、給紙カセット３に収納された用紙は、給紙部１６によって取り出されて搬送経路１５上を搬送される。そして、搬送経路１５上の用紙は、上記の所定の二次転写タイミングで二次転写部１３へ搬送される。二次転写部１３では、中間転写ベルト１０上のカラートナー像が用紙に二次転写される。カラートナー像を二次転写された用紙は、搬送経路１５を下流側へ搬送されて、定着部１７によってカラートナー像が用紙に定着された後、排紙部１８から排紙トレイ４へ排出される。
【００２４】
次に、画像読取部６について説明する。画像読取部６は、装置本体２の胴内空間の上方に配置され、図２に示すように、装置本体２の上面に、原稿台となるプラテンガラス２０と読取スリット２１とを備える。読取スリット２１は、左側に設けられ、プラテンガラス２０は、読取スリット２１の右側に設けられる。また、画像読取部６は、光学走査ユニット２２と、反射ユニット２３と、集光レンズ２４と、ＣＣＤ等の撮像部２５とを備える。
【００２５】
光学走査ユニット２２は、プラテンガラス２０や読取スリット２１の上方の原稿に向かって光を照射する光源２６と、原稿で反射した光を反射ユニット２３に向ける反射ミラー２７とを有する。反射ユニット２３は、複数の反射ミラー２８を有する。光学走査ユニット２２は、主走査方向（前後方向）に長形に形成され、副走査方向（左右方向）に移動可能に設けられる。反射ユニット２３は、原稿から集光レンズ２４までの光路長が常に一定となるように、光学走査ユニット２２の移動に応じて移動するように設けられる。集光レンズ２４及び撮像部２５は、右側に固定される。
【００２６】
画像読取部６において、プラテンガラス２０上に載置された原稿の画像を読み取る場合には、光学走査ユニット２２は、左側から右方向（副走査方向）へ移動して読取位置をずらしながら原稿から画像を読み取る。このとき、光学走査ユニット２２は、プラテンガラス２０上の原稿に向かって、光源２６によって光を照射し、原稿からの反射光を反射ユニット２３及び集光レンズ２４を介して撮像部２５に入射させる。撮像部２５は、原稿からの反射光に基づく光電変換を行うことで原稿の画像を撮像する。そして、画像読取部６は、プラテンガラス２０上に載置された原稿を先端から終端まで走査（スキャン）することで画像データを生成する。
【００２７】
また、画像読取部６において、原稿搬送部７から搬送される原稿の画像を読み取る場合には（図４のステップＳ１）、光学走査ユニット２２は、読取スリット２１に対応する位置を読取位置として固定して原稿から画像を読み取る（図４のステップＳ４）。このとき、光学走査ユニット２２は、読取スリット２１上の原稿に向かって、光源２６によって光を照射し、原稿からの反射光を反射ユニット２３及び集光レンズ２４を介して撮像部２５に入射させる。撮像部２５は、原稿からの反射光に基づく光電変換を行うことで原稿の画像を撮像する。そして、画像読取部６は、読取スリット２１上を通過する原稿を先端から終端まで走査（スキャン）することで画像データを生成する（図４のステップＳ５）。
【００２８】
なお、画像読取部６は、生成した画像データを複合機１の制御部５０（図３参照）へ送信する。複合機１や画像読取部６の画像読取の設定条件として、モノクロ画像読取やカラー画像読取が設定されるが、画像読取部６は、カラー画像を読み取って色データ（ＲＧＢデータ）を取得し、モノクロ画像はカラー画像の二値化処理等によって生成される。
【００２９】
次に、原稿搬送部７について説明する。原稿搬送部７は、画像読取部６の上方に配置され、原稿を搬送する機能に加えて、画像読取部６のプラテンガラス２０（装置本体２の上面）を覆うカバー部材として開閉可能に取り付けられる。原稿搬送部７は、図２に示すように、画像読取前の原稿が載置される供給トレイ３０と、画像読取後の原稿が排出される排出トレイ３１と、供給トレイ３０上の原稿を、読取スリット２１に対応する読取位置を経由して排出トレイ３１に送り出す搬送機構３２とを備える。搬送機構３２は、読取スリット２１に対応して左側に設けられ、供給トレイ３０は、搬送機構３２の上部から右方に延設され、排出トレイ３１は、搬送機構３２の下部から右方に延設される。
【００３０】
供給トレイ３０は、その右端から搬送機構３２に向かって僅かに下方に傾斜して形成される。供給トレイ３０の上面は、複数の原稿を載置可能な載置面であり、載置面には、原稿の幅方向の位置を規制する一対のガイドが、幅方向にスライド可能に設けられる。
【００３１】
排出トレイ３１は、装置本体２の上面を覆う原稿搬送部７の基部の上面の一部に形成され、原稿搬送部７の基部は、装置本体２と同径に形成される。
【００３２】
搬送機構３２は、カバー３３によって囲われていて、カバー３３の右面上部には、供給トレイ３０に対応する位置に開口した供給口３４が形成され、カバー３３の右面下部には、排出トレイ３１に対応する位置に開口した排出口３５が形成される。搬送機構３２は、カバー３３の内部に搬送路３６を有し、搬送路３６は、供給口３４から左方に延びて、左側で下方に湾曲し、更に右方に折り返して、読取スリット２１に対応する読取位置を経由し、排出口３５まで延びるように形成される。搬送機構３２は、搬送路３６に沿って、供給ローラー３７と、複数の搬送ローラー３８と、排出ローラー３９と、原稿検知部４０と、重なり検知部４１とを備える。
【００３３】
供給ローラー３７は、供給口３４の近傍で回転可能に設けられ、回転することで供給トレイ３０上の原稿を一枚ずつ搬送路３６へ供給する。排出ローラー３９は、排出口３５の近傍で回転可能に設けられ、回転することで搬送路３６から原稿を排出トレイ３１へ排出する。複数の搬送ローラー３８は、搬送路３６において供給ローラー３７と排出ローラー３９との間で、それぞれ間隔を空けて回転可能に設けられる。供給ローラー３７、複数の搬送ローラー３８及び排出ローラー３９は、制御部５０（図３参照）によって制御される駆動部（図示せず）から伝達される回転駆動力によって回転駆動する。
【００３４】
原稿検知部４０は、搬送路３６を搬送される原稿を検知するもので、例えば、発光部と受光部とからなる光センサーで構成される。原稿検知部４０は、検知結果を示す検知信号を出力し、例えば、原稿を検知している場合にはオンの信号を、原稿を検知していない場合にはオフの信号を出力する。原稿検知部４０は、搬送路３６に沿った何れかの位置に設けられ、例えば、搬送路３６において異なる搬送位置でそれぞれ原稿を検知するように、それぞれの搬送位置に複数の原稿検知部４０が配置されてよい。
【００３５】
原稿検知部４０は、原稿搬送部７が原稿の搬送を開始した後（図４のステップＳ１）、原稿の検知を開始し、原稿の先端から終端までを検知する。例えば、原稿検知部４０は、搬送路３６の搬送方向において読取スリット２１に対応する読取位置より上流側に配置されて、この読取位置に進入する原稿の先端を検知することで、読取位置への原稿の進入タイミング、即ち、読取開始タイミングを取得する。また、原稿検知部４０は、搬送路３６の搬送方向において読取スリット２１に対応する読取位置より下流側に配置されて、この読取位置から退出する原稿の終端を検知することで、読取位置からの原稿の退出タイミング、即ち、読取終了タイミングを取得する。
【００３６】
重なり検知部４１は、搬送路３６において供給ローラー３７と読取スリット２１に対応する読取位置との間の所定の位置に設けられる。重なり検知部４１は、搬送路３６を搬送される原稿の重なりを検知するもので、例えば、超音波センサー等で構成されてよい。重なり検知部４１は、数枚の原稿同士の重なりや、原稿とその原稿に貼り付けた付箋との重なりを検知し、その検知結果を示す検知信号を出力し、例えば、原稿の重なりを検知している場合にはオンの信号を、原稿の重なりを検知していない場合にはオフの信号を出力する。なお、幅方向に亘って原稿の重なりを検知できるように、複数の重なり検知部４１が、幅方向においてそれぞれ間隔を空けて配置されてよい。
【００３７】
重なり検知部４１は、搬送方向において所定の検知位置で原稿の重なりを検知するように配置され、例えば、その検知位置が、読取位置より上流側の原稿検知部４０の検知位置と同じになるように設けられる。そして、重なり検知部４１は、原稿搬送部７が原稿の搬送を開始した後（図４のステップＳ１）、この原稿検知部４０が原稿の先端を検知してから終端を検知するまで、原稿の重なりの検知を行う（図４のステップＳ２）。
【００３８】
次に、上記の複合機１の電気的な構成について図３を参照しながら説明する。複合機１は、ＣＰＵ等からなる制御部５０と、ＲＯＭやＲＡＭ等からなる記憶部５１とを装置本体２の内部に備える。
【００３９】
制御部５０は、記憶部５１に格納された制御プログラムや制御用データに基づいて、制御部５０に接続された各部を制御する。制御部５０は、画像読取部６、原稿搬送部７、操作表示部８、画像形成部１１及び露光部１２等の複合機１の各部に接続され、例えば、原稿搬送部７による原稿搬送や画像読取部６による画像読取等のスキャン動作を制御する。図４は、スキャン動作を示すフローチャートを示す。１回のジョブのスキャン動作によって複数の原稿の画像読取が自動的に行われ、全ての原稿の画像読取が終了すると、各原稿の画像データをまとめた１つの画像データファイルが生成される。
【００４０】
また、制御部５０は、記憶部５１に記憶されるプログラムを実行することにより重送判定部５２として機能する。重送判定部５２による重送判定は、スキャン動作に含まれる。
【００４１】
重送判定部５２は、重なり検知部４１の検知位置における原稿の通過を、読取位置より上流側の原稿検知部４０の検知信号に基づいて把握する。重送判定部５２は、原稿の先端が検知位置を通過してからの経過時間を計測し、この経過時間に基づいて、搬送方向（長さ方向）において原稿の先端から検知位置までの距離を算出し、即ち、原稿上で検知位置に対応する位置情報を算出する。
【００４２】
また、重送判定部５２は、重なり検知部４１の検知信号に基づいて原稿の重なりを把握し、重なりが検知された場合（図４のステップＳ２：ＹＥＳ）、その重なりの位置情報（幅方向及び長さ方向の位置）を記憶部５１に記憶する。なお、長さ方向の位置情報は、上記のように算出され、幅方向の位置情報は、幅方向に並べて配置された複数の重なり検知部４１の内、何れの重なり検知部４１で重なりを検知したかに応じて把握する。なお、重なりが連続して検知される場合には、重送判定部５２は、連続する複数の重なりを一つの重なりとして判定してよい。
【００４３】
更に、一の原稿（重送か否かに拘らず）について原稿搬送部７による原稿搬送や画像読取部６による画像読取が終了して画像データが生成されると（図４のステップＳ４、Ｓ５）、その原稿に重なりが検知されている場合には（図４のステップＳ６：ＹＥＳ）、重送判定部５２は、その画像データに基づいて、原稿の重なりが重送であるか否かを判定する。このとき、重送判定部５２は、記憶部５１に記憶した重なりの位置情報に基づいて、画像データ上で重なりに対応する重なり位置を算出する。なお、連続する複数の重なりが検知された場合には、その中央の重なりの位置情報を重なり位置としてよい。
【００４４】
重送判定部５２は、この重なり位置の部分的な画像データ（重なり画像）の色データ（ＲＧＢデータ）に基づいて、重なり画像が白黒以外のカラー画像であるか否かを判定する（図４のステップＳ７）。ここで、白黒以外のカラー画像とは、白黒以外の色による塗りつぶし画像や、白黒以外の色の割合が高い画像等を示す。なお、重なり画像は、重なり位置の画素のみに限定されず、この重なり位置から搬送方向及び幅方向に所定範囲までの画素を含んでよい。所定範囲内の複数の画素からなる重なり画像の色は、最も多い色データによって特定されてもよく、あるいは、各色データの平均値によって特定されてもよい。
【００４５】
そして、重送判定部５２は、重なり画像が白黒以外のカラー画像でない場合（図４のステップＳ７：ＮＯ）、原稿の重なりを重送と判定する（図４のステップＳ８）。一方、重送判定部５２は、重なり画像が白黒以外のカラー画像である場合（図４のステップＳ７：ＹＥＳ）、原稿の重なりを重送でないと判定する（図４のステップＳ９）。付箋は、原稿と識別されるように、白黒の原稿に対して、白黒以外の色が付されることが多く、付箋による重なりは、白黒以外のカラー画像で検出される。
【００４６】
重送判定部５２は、原稿の重なりを重送と判定した場合には（図４のステップＳ８）、原稿搬送部７による原稿搬送及び画像読取部６による画像読取等のスキャン動作を停止し、例えば、スピーカ（図示せず）や操作表示部８を用いて原稿の重送をユーザーに通知する。このとき、操作表示部８では、重送と判定された原稿について、やり直し（再度、スキャン動作を行う）や、やり直しなし（重送時の画像データをそのまま適用する）をユーザーに選択させる問合せ画面を表示するとよい。また、操作表示部８では、画像読取部６によって生成した画像データを問合せ画面に表示してもよい。
【００４７】
操作表示部８の問合せ画面において、やり直しが選択される場合には（図４のステップＳ１０：ＹＥＳ）、重送と判定された原稿の供給トレイ３０への載置を促して、スキャン動作を再度行う。また、やり直しなしが選択される場合には（図４のステップＳ１０：ＮＯ）、後続の原稿があれば（図４のステップＳ１１：ＹＥＳ）、後続の原稿についてスキャン動作を行う。
【００４８】
一方、重送判定部５２は、原稿の重なりを重送でないと判定した場合には（図４のステップＳ９）、付箋による重なりと判断できるので、後続の原稿についてスキャン動作を停止する必要はなく、原稿の重送をユーザーに通知する必要もない。そして、後続の原稿があれば（図４のステップＳ１１：ＹＥＳ）、後続の原稿についてスキャン動作を行う。
【００４９】
なお、上記の実施形態において、重送判定部５２による重送判定は、画像読取の設定条件としてモノクロ画像読取が設定されている場合に行うことが望ましいが、設定条件としてカラー画像読取が設定されている場合に行ってもよい。
【００５０】
本実施形態によれば、上述のように、原稿読取装置５は、スキャン動作において原稿を読み取って画像データを取得する画像読取部６と、スキャン動作において画像読取部６へ原稿を搬送する原稿搬送部７と、を備える。原稿搬送部７は、画像読取部６へ搬送される原稿の重なりを検知する重なり検知部４１を備える。原稿読取装置５は、重なり検知部４１によって原稿の重なりを検知したとき、この原稿について画像読取部６によって読み取った画像データにおいて、原稿の重なりに対応する重なり画像が白黒以外のカラー画像でない場合には、原稿の重なりを重送と判定する一方、重なり画像が白黒以外のカラー画像である場合には、原稿の重なりを重送でないと判定する。
【００５１】
これにより、図５に示すように、原稿に付箋等が貼られている場合に、重なり検知部４１が原稿の重なりを検知しても、原稿に貼られた付箋を重送と誤検知することが抑制される。なお、重なり検知部４１を移動させることなく、重送の誤検知を抑制できるので、重なり検知部４１を移動させる構成に比べて、重送検知にかかる時間が短くなり、また、重なり検知部４１を移動させるための駆動部を設ける必要がない。このように、重送検知にかかる時間やコストを抑制し、原稿の重送を適切に判定することが可能となる。
【００５２】
また、原稿読取装置５は、原稿の重なりを重送と判定したとき、この原稿に後続する原稿のスキャン動作を停止する一方、原稿の重なりを重送でないと判定したとき、この原稿に後続する原稿のスキャン動作を継続する。
【００５３】
これにより、原稿に付箋等が貼られている場合に、重なり検知部４１が原稿の重なりを検知しても、重送が検知されず、原稿搬送部７による原稿搬送や画像読取部６による画像読取等のスキャン動作が停止しないので、ユーザーが原稿を確認する手間を省くことができる。
【００５４】
上記の実施形態では、重送判定部５２によって、重なり画像が白黒以外のカラー画像であれば、その色に拘らず、付箋による重なりと判断して、原稿の重なりを重送でないと判定する例を説明したが、本発明はこの例に限定されない。
【００５５】
例えば、他の実施形態では、重送でないと判定するカラー画像の色を除外カラーとして予め記憶部５１等に登録しておく。重送判定部５２は、重なり画像が除外カラーのカラー画像でない場合には、原稿の重なりを重送と判定する一方、重なり画像が除外カラーのカラー画像である場合には、付箋による重なりと判断して、原稿の重なりを重送でないと判定する。
【００５６】
このとき、重送判定部５２は、除外カラーと重なり画像との色データ（ＲＧＢデータ）を比較において、完全一致に限定されず、所定の類似許容範囲内の誤差であれば一致と判定してよい。なお、類似許容範囲は、ＲＧＢデータの各値の大きさに応じて変動してよい。例えば、ＲＧＢデータの各値が同程度であれば、各色に対する類似許容範囲は同程度に設定されてよく、一色のみが大きいＲＧＢデータの場合、その一色に対する類似許容範囲は広く、他の色に対する類似許容範囲は狭く設定されてよい。
【００５７】
他の実施形態によれば、上述のように、原稿読取装置５は、原稿の重送判定を除外する除外カラーを予め登録し、原稿の重なりに対応する重なり画像が白黒以外のカラー画像である場合において、このカラー画像が除外カラーでない場合には、原稿の重なりを重送と判定する一方、このカラー画像が除外カラーである場合には、原稿の重なりを重送でないと判定する。
【００５８】
これにより、図６に示すように、除外カラーを予め登録することで、その色の付箋については重送の誤検知を抑制しつつ、図７に示すように、カラー画像を含む原稿のスキャン動作において重送が生じた場合には、カラー画像を付箋と誤検知することなく、重送を検知することが可能となる。なお、除外カラーは、原稿のカラー画像に使用されない色に設定することが望ましい。
【００５９】
なお、上記の実施形態では、複合機１に備わる制御部５０が原稿読取装置５のスキャン動作を制御する例を説明したが、本発明はこれに限定されず、例えば、更なる実施形態では、原稿読取装置５に備わる他の制御部がスキャン動作を制御するように構成してもよい。
【００６０】
上記実施形態では、原稿読取装置５やこの原稿読取装置５を備える複合機１に本発明の構成を適用する場合について説明したが、他の異なる実施形態では、原稿読取装置５を備える他の画像形成装置（プリンター、複写機、ファクシミリ等）に本発明の構成を適用してもよい。
【符号の説明】
【００６１】
１  複合機（画像形成装置）
５  原稿読取装置
６  画像読取部
７  原稿搬送部
８  操作表示部
１１  画像形成部
３２  搬送機構
３６  搬送路
４０  原稿検知部
４１  重なり検知部
５０  制御部
５２  重送判定部
【図１】
2020108094.tif 000003
【図２】
2020108094.tif 000004
【図３】
2020108094.tif 000005
【図４】
2020108094.tif 000006
【図５】
2020108094.tif 000007
【図６】
2020108094.tif 000008
【図７】
2020108094.tif 000009
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
スキャン動作において原稿を読み取って画像データを取得する画像読取部と、
前記スキャン動作において前記画像読取部へ前記原稿を搬送する原稿搬送部と、
前記画像読取部へ搬送される前記原稿の重なりを検知する重なり検知部と、
前記重なり検知部が前記原稿の重なりを検知したとき、該原稿について前記画像読取部が読み取った前記画像データにおいて、前記原稿の重なりに対応する重なり画像がカラー画像でない場合には、前記原稿の重なりを重送と判定する一方、前記重なり画像がカラー画像である場合には、前記原稿の重なりを重送でないと判定する制御部と、を備えることを特徴とする原稿読取装置。
【請求項２】
前記制御部は、前記原稿の重送判定を除外する除外カラーを予め登録し、
前記重なり画像がカラー画像である場合において、該カラー画像が前記除外カラーでない場合には、前記原稿の重なりを重送と判定する一方、該カラー画像が前記除外カラーである場合には、前記原稿の重なりを重送でないと判定することを特徴とする請求項１に記載の原稿読取装置。
【請求項３】
前記制御部は、前記原稿の重なりを重送と判定したとき、当該原稿に後続する原稿の前記スキャン動作を停止する一方、前記原稿の重なりを重送でないと判定したとき、当該原稿に後続する原稿の前記スキャン動作を継続することを特徴とする請求項１又は２に記載の原稿読取装置。
【請求項４】
画像を形成する画像形成部と、
請求項１〜３の何れか１項に記載の原稿読取装置と、
を備えることを特徴とする画像形成装置。
【手続補正２】
【補正対象書類名】明細書
【補正対象項目名】０００９
【補正方法】変更
【補正の内容】
【０００９】
上記した目的を達成するため、本発明の原稿読取装置は、スキャン動作において原稿を読み取って画像データを取得する画像読取部と、前記スキャン動作において前記画像読取部へ前記原稿を搬送する原稿搬送部と、前記画像読取部へ搬送される前記原稿の重なりを検知する重なり検知部と、前記重なり検知部が前記原稿の重なりを検知したとき、該原稿について前記画像読取部が読み取った前記画像データにおいて、前記原稿の重なりに対応する重なり画像がカラー画像でない場合には、前記原稿の重なりを重送と判定する一方、前記重なり画像がカラー画像である場合には、前記原稿の重なりを重送でないと判定する制御部と、を備えることを特徴とする。
【手続補正３】
【補正対象書類名】明細書
【補正対象項目名】００１０
【補正方法】変更
【補正の内容】
【００１０】
上記の原稿読取装置において、前記制御部は、前記原稿の重送判定を除外する付箋カラーを予め登録し、前記重なり画像がカラー画像である場合において、該カラー画像が前記除外カラーでない場合には、前記原稿の重なりを重送と判定する一方、該カラー画像が前記除外カラーである場合には、前記原稿の重なりを重送でないと判定する。
【手続補正４】
【補正対象書類名】明細書
【補正対象項目名】００１１
【補正方法】変更
【補正の内容】
【００１１】
また、上記の原稿読取装置において、前記制御部は、前記原稿の重なりを重送と判定したとき、当該原稿に後続する原稿の前記スキャン動作を停止する一方、前記原稿の重なりを重送でないと判定したとき、当該原稿に後続する原稿の前記スキャン動作を継続する。
【手続補正５】
【補正対象書類名】明細書
【補正対象項目名】００２７
【補正方法】変更
【補正の内容】
【００２７】
また、画像読取部６において、原稿搬送部７から搬送される原稿の画像を読み取る場合には、光学走査ユニット２２は、読取スリット２１に対応する位置を読取位置として固定して原稿から画像を読み取る。このとき、光学走査ユニット２２は、読取スリット２１上の原稿に向かって、光源２６によって光を照射し、原稿からの反射光を反射ユニット２３及び集光レンズ２４を介して撮像部２５に入射させる。撮像部２５は、原稿からの反射光に基づく光電変換を行うことで原稿の画像を撮像する。そして、画像読取部６は、読取スリット２１上を通過する原稿を先端から終端まで走査（スキャン）することで画像データを生成する。
【手続補正６】
【補正対象書類名】明細書
【補正対象項目名】００３５
【補正方法】変更
【補正の内容】
【００３５】
原稿検知部４０は、原稿搬送部７が原稿の搬送を開始した後、原稿の検知を開始し、原稿の先端から終端までを検知する。例えば、原稿検知部４０は、搬送路３６の搬送方向において読取スリット２１に対応する読取位置より上流側に配置されて、この読取位置に進入する原稿の先端を検知することで、読取位置への原稿の進入タイミング、即ち、読取開始タイミングを取得する。また、原稿検知部４０は、搬送路３６の搬送方向において読取スリット２１に対応する読取位置より下流側に配置されて、この読取位置から退出する原稿の終端を検知することで、読取位置からの原稿の退出タイミング、即ち、読取終了タイミングを取得する。
【手続補正７】
【補正対象書類名】明細書
【補正対象項目名】００３７
【補正方法】変更
【補正の内容】
【００３７】
重なり検知部４１は、搬送方向において所定の検知位置で原稿の重なりを検知するように配置され、例えば、その検知位置が、読取位置より上流側の原稿検知部４０の検知位置と同じになるように設けられる。そして、重なり検知部４１は、原稿搬送部７が原稿の搬送を開始した後、この原稿検知部４０が原稿の先端を検知してから終端を検知するまで、原稿の重なりの検知を行う。
【手続補正８】
【補正対象書類名】明細書
【補正対象項目名】００４１
【補正方法】変更
【補正の内容】
【００４１】
重送判定部５２は、重なり検知部４１の検知位置における原稿の通過を、読取位置より上流側の原稿検知部４０の検知信号に基づいて把握する。重送判定部５２は、原稿の先端が重なり検知部４１の検知位置を通過してからの経過時間を計測し、この経過時間に基づいて、搬送方向（長さ方向）において原稿の先端から検知位置までの距離を算出し、即ち、原稿上で重なり検知部４１の検知位置に対応する位置情報を算出する。
【手続補正９】
【補正対象書類名】明細書
【補正対象項目名】００４２
【補正方法】変更
【補正の内容】
【００４２】
また、重送判定部５２は、原稿の搬送が開始したら（図４のステップＳ１）、重なり検知部４１の検知信号に基づいて原稿の重なりを把握し、重なりが検知された場合（図４のステップＳ２：ＹＥＳ）、その重なりの位置情報（幅方向及び長さ方向の位置）を記憶部５１に記憶する。なお、長さ方向の位置情報は、上記のように算出され、幅方向の位置情報は、幅方向に並べて配置された複数の重なり検知部４１の内、何れの重なり検知部４１で重なりを検知したかに応じて把握する。なお、重なりが連続して検知される場合には、重送判定部５２は、連続する複数の重なりを一つの重なりとして判定してよい。
【手続補正１０】
【補正対象書類名】明細書
【補正対象項目名】００４７
【補正方法】変更
【補正の内容】
【００４７】
操作表示部８の問合せ画面において、やり直しが選択される場合には（図４のステップＳ１０：ＹＥＳ）、重送判定部５２（制御部５０）は、重送と判定された原稿の供給トレイ３０への載置を促して、スキャン動作を再度行う。また、やり直しなしが選択される場合には（図４のステップＳ１０：ＮＯ）、後続の原稿があれば（図４のステップＳ１１：ＹＥＳ）、後続の原稿についてスキャン動作を行う。
【手続補正１１】
【補正対象書類名】明細書
【補正対象項目名】００５０
【補正方法】変更
【補正の内容】
【００５０】
本実施形態によれば、上述のように、原稿読取装置５は、スキャン動作において原稿を読み取って画像データを取得する画像読取部６と、スキャン動作において画像読取部６へ原稿を搬送する原稿搬送部７と、画像読取部６へ搬送される原稿の重なりを検知する重なり検知部４１と、重送判定部５２（制御部５０）とを備える。制御部５０は、重なり検知部４１によって原稿の重なりを検知したとき、この原稿について画像読取部６によって読み取った画像データにおいて、原稿の重なりに対応する重なり画像が白黒以外のカラー画像でない場合には、原稿の重なりを重送と判定する一方、重なり画像が白黒以外のカラー画像である場合には、原稿の重なりを重送でないと判定する。
【手続補正１２】
【補正対象書類名】明細書
【補正対象項目名】００５２
【補正方法】変更
【補正の内容】
【００５２】
また、原稿読取装置５において、重送判定部５２（制御部５０）は、原稿の重なりを重送と判定したとき、この原稿に後続する原稿のスキャン動作を停止する一方、原稿の重なりを重送でないと判定したとき、この原稿に後続する原稿のスキャン動作を継続する。
【手続補正１３】
【補正対象書類名】明細書
【補正対象項目名】００５５
【補正方法】変更
【補正の内容】
【００５５】
例えば、他の実施形態では、重送判定部５２（制御部５０）は、重送でないと判定するカラー画像の色を除外カラーとして予め記憶部５１等に登録しておく。重送判定部５２は、重なり画像が除外カラーのカラー画像でない場合には、原稿の重なりを重送と判定する一方、重なり画像が除外カラーのカラー画像である場合には、付箋による重なりと判断して、原稿の重なりを重送でないと判定する。
【手続補正１４】
【補正対象書類名】明細書
【補正対象項目名】００５６
【補正方法】変更
【補正の内容】
【００５６】
このとき、重送判定部５２は、除外カラーと重なり画像との色データ（ＲＧＢデータ）の比較において、完全一致に限定されず、所定の類似許容範囲内の誤差であれば一致と判定してよい。なお、類似許容範囲は、ＲＧＢデータの各値の大きさに応じて変動してよい。例えば、ＲＧＢデータの各値が同程度であれば、各色に対する類似許容範囲は同程度に設定されてよく、一色のみが大きいＲＧＢデータの場合、その一色に対する類似許容範囲は広く、他の色に対する類似許容範囲は狭く設定されてよい。